(57)【特許請求の範囲】
【請求項１】
ライセンスプレートを照明するランプとの関係において、ＣＡＤシステムを利用して前記ライセンスプレートの位置決めをするにあたり、
ＣＡＤシステムの使用者が、ＣＡＤ要素として、ライセンスプレートを照明するランプと法規に対応する所望のライセンスプレート配光規格とを選択するための入力を行う過程と、
選択されたライセンスプレートの配光規格に従って、前記ＣＡＤシステムが、前記ライセンスプレートの寸法と前記ライセンスプレート上の照度測定点とを前記ライセンスプレート上に設定する過程と、
前記ＣＡＤシステムの使用者が、前記ランプのフィラメント位置と前記ライセンスプレートの初期取付位置とを入力する過程と、
前記ＣＡＤシステムが、前記ランプによって照明される前記照度測定点上の計算照度を算出する過程と、
前記ＣＡＤシステムが、算出した計算照度と前記法規上の照度とを比較して前記ライセンスプレートの位置決めを行う過程と、
を有することを特徴とするライセンスプレートの位置決め方法。
【請求項２】
前記位置決めを行う過程では、前記法規上の照度を満足する範囲を画面上に表示させることを特徴とする請求項１記載のライセンスプレートの位置決め方法。
【請求項３】
前記ランプと前記法規に対応する所望のライセンスプレート配光規格とを選択するための入力を行う過程において、前記ＣＡＤシステムの使用者が、ＣＡＤ要素として、さらに、前記ライセンスプレートの取付角度の入力を行い、
前記ＣＡＤシステムが、入力されたライセンスプレートの取付角度が前記ライセンスプレート配光規格に示された規格内であるかどうか、及び前記ランプから前記ライセンスプレートに照射される光の最小入射角が前記規格内であるかどうか、を前記ライセンスプレート配光規格に基づいて判断し、いずれかが前記ライセンスプレート配光規格内でない場合には前記ライセンスプレートの取付角度の再入力を促す過程を、前記ライセンスプレートの寸法と前記ライセンスプレート上の照度測定点とを前記ライセンスプレート上に設定する過程の前過程として設ける
ことを特徴とする請求項１又は２記載のライセンスプレートの位置決め方法。
【発明の詳細な説明】
【０００１】
【産業上の利用分野】
この発明は、例えば、オートバイ、４輪自動車等に適用して好適なライセンスプレートの位置決め方法に関する。
【０００２】
【従来の技術】
オートバイ等のライセンスプレート（登録証、認可番号札、いわゆるナンバープレート）は、夜間においても、そのライセンスプレート上の識別記号（いわゆるナンバー）を後方から容易に確認できるようにランプにより照明され、そのライセンスプレート上で一定照度以上の照度が確保されることが法規（ライセンスプレート配光規格）上必要とされている。
【０００３】
この法規上の照度を確保するために、従来は、オートバイ等の開発設計段階において、ライセンスプレートを照明するためのランプの仕様（光度仕様等）と法規上の仕様（最低照度仕様等）とに基づいて、机上で手計算によりランプに対するライセンスプレートの位置を決定するようにしていた。
【０００４】
【発明が解決しようとする課題】
しかしながら、ライセンスプレートの寸法及びライセンスプレート配光規格が、国、例えば、日本国内、米国、ドイツ等によって異なるため、上述の手計算による手法では、いわゆる仕向地別に、その都度計算しなければならず、設計工数が相当にかかってしまうという問題があった。
【０００５】
しかも、ランプとライセンスプレートとは、後方からの視認性を良くするために、ランプの軸線とライセンスプレートの軸線とが一致する関係、言い換えれば、ライセンスプレートの正面をランプにより照明する構成になっていないため、計算が面倒であった。
【０００６】
その上、実際上は、手計算で、ある程度目安的に設計を行い、最終的に、実機による配光テストを行って法規（配光規格）を満足させるライセンスプレートの位置を決定することが必須の作業となっていたので、結果として、試行錯誤の繰り返しとなり、時間がかかるという問題があった。
【０００７】
この発明はこのような課題を考慮してなされたものであり、法規（配光規格）に適合するライセンスプレートの位置を自動的に決定することの可能なライセンスプレートの位置決め方法を提供することを目的とする。
【０００８】
【課題を解決するための手段】
この発明は、ライセンスプレートを照明するランプとの関係において、ＣＡＤシステムを利用して前記ライセンスプレートの位置決めをするにあたり、
ＣＡＤシステムの使用者が、ＣＡＤ要素として、ライセンスプレートを照明するランプと法規に対応する所望のライセンスプレート配光規格とを選択するための入力を行う過程と、
選択されたライセンスプレートの配光規格に従って、前記ＣＡＤシステムが、前記ライセンスプレートの寸法と前記ライセンスプレート上の照度測定点とを前記ライセンスプレート上に設定する過程と、
前記ＣＡＤシステムの使用者が、前記ランプのフィラメント位置と前記ライセンスプレートの初期取付位置とを入力する過程と、
前記ＣＡＤシステムが、前記ランプによって照明される前記照度測定点上の計算照度を算出する過程と、
前記ＣＡＤシステムが、算出した計算照度と前記法規上の照度とを比較して前記ライセンスプレートの位置決めを行う過程と、
を有することを特徴とする。
【０００９】
また、この発明は、前記位置決めを行う過程では、前記法規上の照度を満足する範囲を画面上に表示させることを特徴とする。さらに、この発明は、前記ランプと前記法規に対応する所望のライセンスプレート配光規格とを選択するための入力を行う過程において、前記ＣＡＤシステムの使用者が、ＣＡＤ要素として、さらに、前記ライセンスプレートの取付角度の入力を行い、前記ＣＡＤシステムが、入力されたライセンスプレートの取付角度が前記ライセンスプレート配光規格に示された規格内であるかどうか、及び前記ランプから前記ライセンスプレートに照射される光の最小入射角が前記規格内であるかどうか、を前記ライセンスプレート配光規格に基づいて判断し、いずれかが前記ライセンスプレート配光規格内でない場合には前記ライセンスプレートの取付角度の再入力を促す過程を、前記ライセンスプレートの寸法と前記ライセンスプレート上の照度測定点とを前記ライセンスプレート上に設定する過程の前過程として設けることを特徴とする。
【００１０】
【作用】
この発明によれば、ＣＡＤシステムにより、ランプによって照明されるライセンスプレート上の法規上の照度測定点の計算照度を算出し、算出した計算照度と法規上の照度とを比較してライセンスプレートの位置決めを行うようにしているので、簡単なキー入力を行うだけで、ライセンスプレートの位置を自動的に決定することができる。
【００１１】
また、この発明によれば、法規上の照度を満足する範囲を画面上に表示しているので、配光が法規を満足しているかどうかを容易に確認することができる。
【００１２】
【実施例】
以下、この発明の一実施例について、図面を参照して説明する。
【００１３】
図１は、この一実施例が適用されたＣＡＤシステム１１の概略的な構成を示している。
【００１４】
ＣＡＤシステム１１は、周知のように、制御手段としてのコンピュータ１２を有し、コンピュータ１２は、中央処理装置（ＣＰＵ）１３、内部記憶装置であり処理データを一時的に保存等するランダムアクセスメモリ（ＲＡＭ）１４、システムプログラム等が書き込まれる読み出し専用メモリ（ＲＯＭ）１５等を備えている。
【００１５】
ＣＰＵ１３は、図形計算、表示制御、データベース管理等の役割を有している。このＣＰＵ１３には、外部記憶装置であるハードディスク等のデータベース１６が接続され、このデータベース１６には、後に説明する法規上のライセンスプレート配光規格、その他ＣＡＤ要素の図面に相当する情報等が保存されている。
【００１６】
ＣＰＵ１３には、また、出力装置であり、使用者等の対話の中心的装置としてのＣＲＴ等よりなるディスプレイ１７、文字と数値等の入力装置であるキーボード１８、その他、図形入力、表示・プログラム切換等の処理を行う周知のデジタイザ、ジョイステック、ダイヤル、ファンクションキー等の入力装置１９が接続されている。
【００１７】
図２は、図示しないオートバイのリヤホイールカバー上に取り付けられるライセンスプレート２１と、このライセンスプレート２１の表面（番号、文字、図形等のキャラクタが塗装等により形成されている面）を照明するランプ（ライセンスライトという場合もある。）２３との一般的な位置関係を示している。なお、図２の図形は、ディスプレイ１７上に表示することができる。
【００１８】
図２において、符号２４は、アクリル樹脂性等の光透過性部材から構成されるランプカバーである。ランプカバー２４は、図示しないランプ保持部とともにランプ２３を略密封する構造になっており、かつ必要に応じてレンズ機能を有している。ランプ２３とランプカバー２４と図示しないランプ保持部とが一体的な構成とされて、カバー付ランプ２５が形成される。このカバー付ランプ２５は、図示しないリヤシートの先端部近傍等に取り付けられる。
【００１９】
ランプ２３は、周知のように、フィラメント２６（符号２６は、フィラメント位置としても使用する。）を覆うガラス等のカバー部と電極を形成する口金部等から構成されている。
【００２０】
なお、ランプ２３がライセンスプレート２１の照明専用に取り付けられるオートバイの機種と、尾灯を兼用するオートバイの機種とがあるが、この発明はどちらの機種にも適用可能である。また、上述したように、オートバイに限らず、４輪自動車に適用することも可能である。
【００２１】
次に、図３のフローチャートを参照して、上述の実施例の動作について詳しく説明する。なお、制御主体は、ＣＰＵ１３である。
【００２２】
通常、オートバイのデザイン設計や、フレーム設計の略最終段階において、ライセンスプレート２１の取付位置が正式に決定される。
【００２３】
そこで、そのような段階において、まず、ライセンスプレート２１の初期取付位置Ｐｉと、ライセンスプレート２１の仕向地又は型式と、ライセンスプレート２１の取付角度φ（図２参照）、ランプ２３の仕様とを入力する（ステップＳ１）。
【００２４】
ここで、初期取付位置Ｐｉは、図２に示すように、ランプ２３のフィラメント位置２６から、長方形であるライセンスプレート２１の上端（上辺）３１の中央位置までの座標（ＤＸ，ＤＹ）で指定する。なお、実際上、ランプ２３の仕様（寸法・光度等）は、６種類程度がデフォルト値としてＣＡＤシステム１１に予め記憶されているので、実際には、ランプ２３の仕様を入力する必要はない。
【００２５】
また、ライセンスプレート２１の仕向地は、図４に示すライセンスプレート配光規格表４０に示すように、「国内」と「米国」があり、この他、繁雑になるので図示していないが、例えば、スイス、オランダ等のＥＣＥ批准国やドイツ等がある。
【００２６】
さらに、ライセンスプレート２１の型式Ｋ１、Ｋ２、Ａは、区分欄に示す排気量との関係において決定される。ただし、米国の場合には、区分が分かれていないので型式の入力は不要である。この型式に応じて、最低照度等の法規（配光規格）が決定されている。実際上、型式を入力することで、仕向地の指定は不要になる。
【００２７】
次に、型式の入力に基づいてライセンスプレート２１の取付角度φ（図２参照）が規格内であるかどうか、及びランプ２３からライセンスプレート２１に照射される光の最小入射角θｍｉｎ（後に説明する。）が規格内であるかどうかをライセンスプレート配光規格表４０を検索して判断する（ステップＳ２）。ここで、入射角θは、通常の光学上の入射角と異なり、図２及び図５に示すように、ライセンスプレート２１上の入射点Ｉｐに対してフィラメント位置２６から入射される入射光線Ｌと、この入射光線Ｌのライセンスプレート２１上への正弦が為す角度であると定義する。最小入射角θｍｉｎは、ライセンスプレート２１の下端（下辺）３２の左右端３２Ｒ、３２Ｌを入射点Ｉｐと考えた場合の入射角θをいう。
【００２８】
ステップＳ２の判断が成立しないときは、その計算上の最小入射角θｍｉｎをディスプレイ１７上に表示して（ステップＳ３）、プレート取付角度φ等の再入力を促す（再び、ステップＳ１）。
【００２９】
ステップＳ２の判断が成立したときには、次に、図４に示すライセンスプレート配光規格表４０の最下段の欄に記載している測定点（予め定められている照度測定用プレート測定点）上での配光値、すなわち照度Ｉ、その他、均整度（後に説明する。）等を計算して、ディスプレイ１７の画面上に表示する（ステップＳ４）。測定点は、例えば、仕向地が国内の型式Ｋ１の大きさ１７０ｍｍ×１００ｍｍのライセンスプレート２１においては、図４中、○印で示す６点である。
【００３０】
この場合、ライセンスプレート２１上の任意の点の照度Ｉは、次に示す（１）式により求めることができる。
【００３１】
Ｉ＝Γ×Ｑ×ｓｉｎθ／Ｌ2 …（１）
ここで、Ｑ：ランプの光度［ｃｄ］
Γ：レンズとしてのランプカバー２４がアクリル樹脂の場合は０．９２
、ポリカーボネート樹脂の場合は０．８９
θ：入射角（図２、図５参照）
次に、ステップＳ４で計算した照度Ｉ［ＬＸ］等が基準値を満足しているかどうかを判断する（ステップＳ５）。ここで、基準値は、図４のライセンスプレート配光規格表４０に示す最低照度、平均照度、均整度等である。なお、欧州の場合には、輝度勾配も基準値に含まれる。
【００３２】
均整度は、ライセンスプレート配光規格表４０に示すように、型式の違いによって計算式が異なり、基本的には、照度の低い測定点と照度の高い測定点との照度差が一定範囲以内であるかどうかを表す目安である。また、輝度勾配は、隣合う２点間の輝度差をその２点間の距離で割った値が、例えば、最低照度の２倍以下になっているかどうかという基準により判断される。
【００３３】
ステップＳ５の判断において、法規上の基準値を満足しなかった場合、全ての法規基準を満足するライセンスプレート２１の位置の領域を、ライセンスプレート２１との位置関係において、ディスプレイ１７上に図６に示すように領域４２として表示する（ステップＳ６）。ハッチング部分で示す領域４２が全法規基準を満足する領域である。
【００３４】
したがって、この場合には、ライセンスプレート２１の上端中央位置として定義されているライセンスプレート２１の取付位置Ｐが領域４２内、すなわち、ハッチング内に掛かるように、ライセンスプレート２１を領域４２の方向、例えば、矢印Ｑ方向に移動すればよい（再び、ステップＳ１）。なお、ライセンスプレート２１の取付位置Ｐの座標Ｐ（ＤＸ，ＤＹ）が領域４２に掛かったときに、ライセンスプレート２１に色が付くように、または色が変わるようにして確認を容易にすることもできる。
【００３５】
この２度目の取付位置Ｐの移動後において、後方視認性あるいはデザイン上等との関係において、ライセンスプレート２１の取付角度φ（図２参照）を変更させたい場合には、ステップＳ１〜ステップＳ６の処理をステップＳ５の判断が満足するまで繰り返すことにより、ライセンスプレート２１の位置を決定することができる。
【００３６】
なお、ステップＳ６で表示させた全ての法規基準を満足する領域４２が、例えば、あまりにもランプカバー２４の位置に接近しすぎる等、構造的又はデザイン的に不適当であると当該ＣＡＤシステム１１の使用者が判断した場合には、ランプ２３をより高い光度のランプ２３に変更して（ステップＳ１）、ステップＳ１〜ステップＳ６の処理を繰り返すようにすればよい。
【００３７】
図７は、ライセンスプレート２１が全ての法規基準を満足する領域４２内に入った状態を示している。これにより、ライセンスプレート２１の位置決め処理が終了する。なお、図７において、符号４１は、車体設計のレイアウト時に利用する領域、具体的には、例えば、ライセンスプレート２１と図示しない車体部分との干渉等を確認するための領域である。
【００３８】
位置決め終了後には、カバー付ランプ２５とライセンスプレート２１の位置決めされた位置及び必要に応じて確認領域４１をＣＡＤシステム１１に登録する（ステップＳ７）。いわゆるＣＡＤ要素とする。
【００３９】
そして、最終的に、カバー付ランプ２５の出射光Ｌがライセンスプレート２１を照明する領域と各測定点における照度値等の配光値をディスプレイ１７に表示して確認する（ステップＳ８）。この場合、併せて基準値も表示される。作成されたデータのうち、必要とされるデータは、データベース１６に格納される。
【００４０】
このように上述の実施例によれば、ＣＡＤシステム１１により、カバー付ランプ２５によって照明されるライセンスプレート２１上の法規上の照度測定点の計算照度を算出し、算出した計算照度と法規上の照度とを比較してライセンスプレート２１の位置決めを行うようにしているので、キーボート１８等による簡単なキー入力を行うだけで、ライセンスプレート２１の位置をほぼ自動的に決定することができるという効果が得られる。
【００４１】
言い換えれば、ライセンスプレート２１とこれを照明するカバー付ランプ２５の適切なレイアウトの設定が簡単に行えるという利点が得られる。
【００４２】
また、上述の実施例によれば、全ての法規基準を満足する領域４２をディスプレイ１７上に表示できるので、配光が法規を満足しているかどうかを視覚により容易に確認することができる。
【００４３】
なお、この発明は上述の実施例に限らず、この発明の要旨を逸脱することなく種々の構成を採り得ることはもちろんである。
【００４４】
【発明の効果】
以上説明したように、この発明によれば、ＣＡＤシステムにより、ランプによって照明されるライセンスプレート上の法規上の照度測定点の計算照度を算出し、算出した計算照度と法規上の照度とを比較してライセンスプレートの位置決めを行うようにしているので、簡単なキー入力を行うだけで、ライセンスプレートの位置を自動的に決定することができるという効果が達成される。
【００４５】
また、この発明によれば、法規上の照度を満足する範囲を画面上に表示しているので、配光が法規を満足しているかどうかを容易に確認することができるという効果が達成される。
【図面の簡単な説明】
【図１】この発明の一実施例が適用されたＣＡＤシステムの構成を示すブロック図である。
【図２】ランプとライセンスプレートの相対位置の説明等に供される図である。
【図３】図１例の処理説明に供されるフローチャートである。
【図４】ライセンスプレート配光規格表を示す図である。
【図５】最小入射角の説明等に供される図である。
【図６】全ての法規基準を満足する領域とライセンスプレートの位置とが一致していない状態の説明に供される図である。
【図７】全ての法規基準を満足する領域とライセンスプレートの位置とが一致している状態の説明に供される図である。
【符号の説明】
１１…ＣＡＤシステム                  １２…コンピュータ
１３…ＣＰＵ                          １６…データベース
２１…ライセンスプレート              ２３…ランプ
２４…ランプカバー                    ２５…カバー付ランプ
２６…フィラメント位置                ４１…確認領域
４２…全ての法規基準を満足する領域    Ｉｐ…入射点（照明点）
θ…入射角                            φ…取付角度
【図１】
0003641510.tif 000002
【図２】
0003641510.tif 000003
【図３】
0003641510.tif 000004
【図４】
0003641510.tif 000005
【図５】
0003641510.tif 000006
【図６】
0003641510.tif 000007
【図７】
0003641510.tif 000008